(57)【要約】【課題】異なる無線システムから1つの最適なシステムを選択する方式において、異なるシステム使うことによる複雑性を排除し、さらに周波数選択性フェージングの影響を軽減し、無線システムにできる限り依存しない低レイヤでの選択判定を行なう。【解決手段】複数種類のＯＦＤＭ通信方式からいずれかを選定して無線通信を行なう無線通信システムに適用される無線受信装置であって、無線送信装置から受信した特定の周波数サブチャネルに自己相関の高い関数（以下、高自己相関関数）を含むＯＦＤＭ信号を復調するＯＦＤＭ復調部５−３（Ａ〜Ｚ）と、各ＯＦＤＭ通信方式について、受信した高自己相関関数と既知の高自己相関関数との相関値を算出し、時間差が無い場合の相関値と時間差が有る場合の相関値との比を示す相関比を計算する相関比計算部５−４（Ａ〜Ｚ）と、相関比が最も大きいＯＦＤＭ通信方式を選択する選択装置６−２と、を備える。【選択図】図６
2010226398.tif 000002
【特許請求の範囲】
【請求項１】
無線送信装置と無線受信装置との間で、複数種類のＯＦＤＭ通信方式からいずれかを選定して無線通信を行なう無線通信システムであって、
前記無線送信装置は、特定の周波数サブチャネルに高自己相関関数を含むＯＦＤＭ信号を前記無線受信装置へ送信し、
前記無線受信装置は、各ＯＦＤＭ通信方式について、前記無線送信装置から受信した高自己相関関数と既知の高自己相関関数との相関値を算出し、時間差が無い場合の相関値と時間差が有る場合の相関値との比を示す相関比が最も大きいＯＦＤＭ通信方式を選択することを特徴とする無線通信システム。
【請求項２】
前記無線受信装置は、システム帯域全体の伝搬路における周波数特性を測定し、前記高自己相関関数を含む特定の周波数サブチャネルの伝搬路における周波数特性と、前記システム帯域全体の伝搬路における周波数特性の平均値との差分を補正することを特徴とする請求項１記載の無線通信システム。
【請求項３】
複数種類のＯＦＤＭ通信方式からいずれかを選定して無線通信を行なう無線通信システムに適用される無線受信装置であって、
無線送信装置から受信した特定の周波数サブチャネルに高自己相関関数を含むＯＦＤＭ信号を復調するＯＦＤＭ復調部と、
既知の高自己相関関数を記憶する記憶部と、
前記各ＯＦＤＭ通信方式について、前記受信した高自己相関関数と前記既知の高自己相関関数との相関値を算出し、時間差が無い場合の相関値と時間差が有る場合の相関値との比を示す相関比を計算する相関比計算部と、
前記相関比が最も大きいＯＦＤＭ通信方式を選択する選択部と、を備えることを特徴とする無線受信装置。
【請求項４】
システム帯域全体の伝搬路における周波数特性を測定する伝搬路特性推定部をさらに備え、
前記相関比計算部は、前記高自己相関関数を含む特定の周波数サブチャネルの伝搬路における周波数特性と、前記システム帯域全体の伝搬路における周波数特性の平均値との差分を補正して相関比を計算し、
前記選択部は、補正後の相関比が最も大きいＯＦＤＭ通信方式を選択することを特徴とする請求項３記載の無線受信装置。
【請求項５】
無線送信装置と無線受信装置との間で、複数種類のＯＦＤＭ通信方式からいずれかを選定して無線通信を行なう無線通信方法であって、
前記無線送信装置において、特定の周波数サブチャネルに高自己相関関数を含むＯＦＤＭ信号を前記無線受信装置へ送信するステップと、
前記無線受信装置において、各ＯＦＤＭ通信方式について、前記無線送信装置から受信した高自己相関関数と既知の高自己相関関数との相関値を算出し、時間差が無い場合の相関値と時間差が有る場合の相関値との比を示す相関比を計算するステップと、
前記相関比が最も大きいＯＦＤＭ通信方式を選択するステップと、を少なくとも含むことを特徴とする無線通信方法。
【請求項６】
前記無線受信装置において、システム帯域全体の伝搬路における周波数特性を測定するステップと、
前記高自己相関関数を含む特定の周波数サブチャネルの伝搬路における周波数特性と、前記システム帯域全体の伝搬路における周波数特性の平均値との差分を補正するステップと、をさらに含むことを特徴とする請求項５記載の無線通信方法。
【発明の詳細な説明】
【技術分野】
【０００１】
本発明は、無線送信装置と無線受信装置との間で、複数種類のＯＦＤＭ通信方式からいずれかを選定して無線通信を行なう技術に関する。
【背景技術】
【０００２】
近年、コグニティブ無線や、へテロジーニアス無線など、異なる複数無線システムを用いて、サービスエリアの補完、信頼性の向上、周波数スペクトラムの有効利用を図ることが提唱されている。通常、１つの無線システム内においては、それぞれのシステム固有に伝送品質を測定し、システム内での時間や周波数スロット切替を行ない、そのシステムの利用効率を向上させている。例えば、ＷＩ−ＬＡＮでのＲＳＳＩ値や、ＷｉＭＡＸでのＣＩＮＲ値が、これら伝送品質に該当する。
【０００３】
複数の異なるシステムを対象として１つのシステムを選択する場合は、これらシステム固有のパラメータを、何らかの統一したパラメータに変換あるいは置換し、選択の判断を行なう必要がある。この変換（あるいは置換）を行なう為には、数式あるいは実験などを行ない、変換方法を決める必要があるが、種々のパラメータが係るので、一般的には容易ではない。
【０００４】
また、広いサービスエリアをカバーする広帯域無線通信システムでは、基地局と端末間が見通し外の場合、反射や回折等による遅延波の干渉により、伝搬路の周波数特性がフラットではない、いわゆる周波数選択性フェージングを受ける。そのため、最近新たに実用化されようとしている通信システムでは、このフェージングへの耐性を考慮してＯＦＤＭ方式が適用されている。同方式においても、フェージングの影響を最小限に抑える無線システム選択方式が望まれる。
【０００５】
特許文献１では、異システム間ハンドオフ方法および無線通信端末が開示されている。特許文献１記載の技術では、異なる無線システムのハンドオフにおいて、現在のスループットとハンドオフ先の推定スループットを比較し、スループットの改善が見込まれる場合にハンドオフの処理を行なう。
【０００６】
また、特許文献２では、異種無線システム間のハンドオフ制御システム、そのシステムに使用されるエッジノードおよび移動通信端末装置が開示されている。特許文献２記載の技術では、端末から同じ情報を伝送し、いわゆるソフトハンドオフを行う。しかし、切り替え（あるいはハンドオフ）の判断を行なう基準が述べられていない。
【０００７】
また、非特許文献１には、雑音の中に埋もれている微弱信号を検出する際に、信号の誤検出確率、すなわち、存在しないのに存在するという判断を行なう確率を小さくする技術が開示されている。非特許文献１記載の方式では、周期自己相関関数（Cyclic Autocorrelation Function：ＣＡＦ）と称される符号系列を用いて、自己相関により信号を検出している。
【０００８】
また、非特許文献２には、ＯＦＤＭ信号のプリアンブル信号を用いて、伝搬路の周波数特性を推定し、その逆関数により、伝送路の等価を図る技術が開示されている。
【先行技術文献】
【特許文献】
【０００９】
【特許文献１】特開２００８−２７０９９０号公報
【特許文献２】特開２００４−２７４４５８号公報
【非特許文献】
【００１０】
【非特許文献１】村岡他、コグニティブ無線における最大周期自己相関選択に基づくスペクトルセンシング（２００８年信学会通信ソサイエティ大会、Ｂ−１７−２）
【非特許文献２】藤本貴、樫木勘四郎、野原光夫、竹内和則、松村隆司，“ソフトウェア無線による伝搬状態モニタ装置の基本特性について”，電子情報通信学会，信学技報，ｖｏｌ．１０７，ｎｏ．３５２，ＳＲ２００７−６０，ｐｐ．９３−９８，２００７年１１月
【発明の概要】
【発明が解決しようとする課題】
【００１１】
従来から、異なる複数の無線システムの内の１つを選択することにより（２つ以上のシステムの併用でも可）、サービスエリアの補充、信頼性の向上、周波数スペクトラムの有効利用を図ろうとする試みが提唱されているが、この際の重要な検討項目の１つは、選択の迅速化、選択方式の単純化である。選択方式としては、物理層（第１レイヤ）でのパラメータの監視、ＭＡＣ層（第２レイヤ）でのパラメータの監視、ＩＰ層（第３レイヤ）でのパラメータの監視、並びにこれらの組み合わせがある。例えば、特許文献１では、判断をスループットにより行なっている。この場合は、無線システムが異なるため、選択されたシステムが最適であるとは限らないし、さらに選択判断までに時間がかかるおそれがある。
【００１２】
また、伝送遅延を判断基準とする方式も考えられるが、その場合にはシステムあるいは装置化の影響をそのまま受けてしまう可能性がある。また、ＲＳＳＩやＣＩＮＲでの判定を行う方法も考えられるが、これらはシステムにより導出方法が違う可能性もある。そのため、システムパラメータ等を統一するよう変換や置換を行なう必要がありその検討は容易ではなく、また正しい解が得られるとは限らない。
【００１３】
また、見通し外通信において広帯域の通信を行なう場合には、いわゆる周波数選択性フェージングを受けるので、伝送特性に周波数特性が現れることがあり得る。
【００１４】
本発明は、このような事情に鑑みてなされたものであり、異なる無線システムを使うことによる複雑性を排除し、さらに周波数選択性フェージングの影響を軽減し、無線システムにできる限り依存しない低レイヤでの切り替え判定を行なうことができる無線通信システム、無線受信装置および無線通信方法を提供することを目的とする。
【課題を解決するための手段】
【００１５】
（１）上記の目的を達成するために、本発明は、以下のような手段を講じた。すなわち、本発明の無線通信システムは、無線送信装置と無線受信装置との間で、複数種類のＯＦＤＭ通信方式からいずれかを選定して無線通信を行なう無線通信システムであって、前記無線送信装置は、特定の周波数サブチャネルに高自己相関関数（自己相関の高い関数を意味する）を含むＯＦＤＭ信号を前記無線受信装置へ送信し、前記無線受信装置は、各ＯＦＤＭ通信方式について、前記無線送信装置から受信した高自己相関関数と既知の高自己相関関数との相関値を算出し、時間差が無い場合の相関値と時間差が有る場合の相関値との比を示す相関比が最も大きいＯＦＤＭ通信方式を選択することを特徴としている。
【００１６】
このように、各ＯＦＤＭ通信方式について、無線送信装置から受信した高自己相関関数と既知の高自己相関関数との相関値を算出し、時間差が無い場合の相関値と時間差が有る場合の相関値との比を示す相関比が最も大きいＯＦＤＭ通信方式を選択するので、比較的簡単に複数の異種無線システムの選択のためのパラメータを得ることができると共に、選択の信頼性を高めることができる。
【００１７】
（２）また、本発明の無線通信システムにおいて、前記無線受信装置は、システム帯域全体の伝搬路における周波数特性を測定し、前記高自己相関関数を含む特定の周波数サブチャネルの伝搬路における周波数特性と、前記システム帯域全体の伝搬路における周波数特性の平均値との差分を補正することを特徴としている。
【００１８】
このように、高自己相関関数を含む特定の周波数サブチャネルの伝搬路における周波数特性と、システム帯域全体の伝搬路における周波数特性の平均値との差分を補正するので、高自己相関関数を含む周波数サブチャネルを過小評価または過大評価することを回避し、誤差を小さくすることが可能となる。
【００１９】
（３）また、本発明の無線受信装置は、複数種類のＯＦＤＭ通信方式からいずれかを選定して無線通信を行なう無線通信システムに適用される無線受信装置であって、無線送信装置から受信した特定の周波数サブチャネルに高自己相関関数を含むＯＦＤＭ信号を復調するＯＦＤＭ復調部と、既知の高自己相関関数を記憶する記憶部と、前記各ＯＦＤＭ通信方式について、前記受信した高自己相関関数と前記既知の高自己相関関数との相関値を算出し、時間差が無い場合の相関値と時間差が有る場合の相関値との比を示す相関比を計算する相関比計算部と、前記相関比が最も大きいＯＦＤＭ通信方式を選択する選択部と、を備えることを特徴としている。
【００２０】
このように、各ＯＦＤＭ通信方式について、無線送信装置から受信した高自己相関関数と既知の高自己相関関数との相関値を算出し、時間差が無い場合の相関値と時間差が有る場合の相関値との比を示す相関比が最も大きいＯＦＤＭ通信方式を選択するので、比較的簡単に複数の異種無線システムの選択のためのパラメータを得ることができると共に、選択の信頼性を高めることができる。
【００２１】
（４）また、本発明の無線受信装置は、システム帯域全体の伝搬路における周波数特性を測定する伝搬路特性推定部をさらに備え、前記相関比計算部は、前記高自己相関関数を含む特定の周波数サブチャネルの伝搬路における周波数特性と、前記システム帯域全体の伝搬路における周波数特性の平均値との差分を補正して相関比を計算し、前記選択部は、補正後の相関比が最も大きいＯＦＤＭ通信方式を選択することを特徴としている。
【００２２】
このように、高自己相関関数を含む特定の周波数サブチャネルの伝搬路における周波数特性と、システム帯域全体の伝搬路における周波数特性の平均値との差分を補正するので、高自己相関関数を含む周波数サブチャネルを過小評価または過大評価することを回避し、誤差を小さくすることが可能となる。
【００２３】
（５）また、本発明の無線通信方法は、無線送信装置と無線受信装置との間で、複数種類のＯＦＤＭ通信方式からいずれかを選定して無線通信を行なう無線通信方法であって、前記無線送信装置において、特定の周波数サブチャネルに高自己相関関数を含むＯＦＤＭ信号を前記無線受信装置へ送信するステップと、前記無線受信装置において、各ＯＦＤＭ通信方式について、前記無線送信装置から受信した高自己相関関数と既知の高自己相関関数との相関値を算出し、時間差が無い場合の相関値と時間差が有る場合の相関値との比を示す相関比を計算するステップと、前記相関比が最も大きいＯＦＤＭ通信方式を選択するステップと、を少なくとも含むことを特徴としている。
【００２４】
このように、各ＯＦＤＭ通信方式について、無線送信装置から受信した高自己相関関数と既知の高自己相関関数との相関値を算出し、時間差が無い場合の相関値と時間差が有る場合の相関値との比を示す相関比が最も大きいＯＦＤＭ通信方式を選択するので、比較的簡単に複数の異種無線システムの選択のためのパラメータを得ることができると共に、選択の信頼性を高めることができる。
【００２５】
（６）また、本発明の無線通信方法は、前記無線受信装置において、システム帯域全体の伝搬路における周波数特性を測定するステップと、前記高自己相関関数を含む特定の周波数サブチャネルの伝搬路における周波数特性と、前記システム帯域全体の伝搬路における周波数特性の平均値との差分を補正するステップと、をさらに含むことを特徴としている。
【００２６】
このように、高自己相関関数を含む特定の周波数サブチャネルの伝搬路における周波数特性と、システム帯域全体の伝搬路における周波数特性の平均値との差分を補正するので、高自己相関関数を含む周波数サブチャネルを過小評価または過大評価することを回避し、誤差を小さくすることが可能となる。
【発明の効果】
【００２７】
本発明によれば、各ＯＦＤＭ通信方式について、無線送信装置から受信した高自己相関関数と既知の高自己相関関数との相関値を算出し、時間差が無い場合の相関値と時間差が有る場合の相関値との比を示す相関比が最も大きいＯＦＤＭ通信方式を選択するので、比較的簡単に複数の異種無線システムの選択のためのパラメータを得ることができると共に、選択の信頼性を高めることができる。
【図面の簡単な説明】
【００２８】
【図１】代表的な自己相関の高いＭ系列の自己相関関数を示す図である。
【図２】ＯＦＤＭ方式のフレーム構成の概念を示す図である。
【図３】ビット差τ＝０の場合におけるＭ系列の受信信号と受信側で既知の信号との相関値を求める計算部を示す図である。
【図４】ビット差τ＝１シンボルの場合における  Ｍ系列の受信信号と受信側で既知の信号との相関値を求める計算部を示す図である。
【図５】第１の実施形態に係る無線通信システムの基本構成を示す図である。
【図６】第１の実施形態に係る無線通信システムの構成を示す図である。
【図７】伝搬路特性推定を行なう装置の構成を示す図である。
【図８】伝搬路の周波数特性推定部で得られる特性の概念を示す図である。
【図９】周波数選択性フェージングの影響を考慮して相関比を補正する場合の装置構成を示す図である。
【図１０】第２の実施形態に係る無線通信システムの概略構成を示す図である。
【発明を実施するための形態】
【００２９】
本実施形態は、ＷｉＭＡＸやＬＴＥなどのＯＦＤＭ方式を用いる無線方式に適用されるものである。特に、周波数の有効利用を図り、また信頼性の高い無線伝送を実施する為に、既存の複数の無線システムを選択し、切り替えて利用する。既存システムのシステムパラメータに手を入れることなく、比較的容易に選択判定並びに選択実施を行なえる手法を提供する。以下、本発明の実施形態について図面を参照して説明する。
【００３０】
本実施形態では、Ｍ系列のような自己相関特性Ｒａ（τ）が良好なデータ系列を利用する。Ｍ系列の自己相関関数は、式（１）のように表すことができる。即ち、符号長がＬのＭ系列ｍｉ（ｍｉ＝１  ｏｒ  −１）において、図１のように、時間差τがゼロ（時間差無し）の場合にはピークが立ち、そうでない場合は−１／Ｌとなる。
【００３１】
【数１】
2010226398.tif 000003
信号復調時に相関をとると、式（１）のｍｉのうちの１つは雑音ｎ（ここでは、平均値ゼロの白色ガウス雑音を仮定）を含んだ信号（＝ｍ＋ｎとする）、他の１つは、Ｍ系列に相当する信号で復調側では既知の信号である。従って、この場合、相関関数の符号長Ｌ内で平均値を求めると、τがゼロの場合は、Ｅ［・］をＬ内での時間平均と定義すると、
１＋Ｅ［ｎ］  ：τ＝０            ・・・（２）
また、τがゼロ以外では、
−１／Ｌ＋Ｅ［ｎ］  ：τ＝０以外  ・・・（３）
となる。本実施形態では、式（２）と式（３）との比（あるいは差）を検出し、その比が大きな無線方式を選択する。
【００３２】
通常、雑音の平均値Ｅ［ｎ］はゼロとなるが、平均時間が有限であるため、ゼロ以外の値をとり得る。なお、Ｍ系列のような関数は、周期自己相関関数（ＣＡＦ：Cyclic Autocorrelation Function）と称されることもある。
【００３３】
上記のように、本実施形態では、式（２）と（３）の値の比（あるいは差、以下では“相関比“と呼称する。）を用いて、希望信号の雑音に対する大きさの度合いを、各々の無線システムについて知ることができる。言い換えると、Ｍ系列信号の復調信号の同期をとった自己相関関数（τ＝０）の平均値と、例えば１シンボルシフトさせた時（τ＝０以外、１シンボルに制限する必要はないが）の自己相関関数の平均値を比較することになる。これは、受信信号のＳＮ比の比較とほぼ等価とも考えられる。
【００３４】
なお、通常、ＯＦＤＭ方式を用いる無線通信システムでは、適応変調を適用し、通信路の状態により変調方式の多値数（例えば、ＱＰＳＫは４、１６ＱＡＭは１６、６４ＱＡＭは６４など）を変更するが、本方式は無線システムの受信性能の測定であるので、判別の誤差が小さくなるよう、変調方式は２相ＰＳＫの方が望ましい。また、復調信号は軟判定データの方がよい。
【００３５】
本実施形態では、無線システムの低レイヤでの判定が行なえる基準を提供しているので、変調方式が同じであれば、異なる無線システムであっても、本方式を適用できる。従って同じ基準での選択判断を行なうことができるという特徴を有する。
【００３６】
図２は、ＯＦＤＭ方式のフレーム構成を示す図である。図２に示すように、ＯＦＤＭ方式のフレームは、プリアンブル部２−１、周波数サブチャネル２−２、および時間サブチャネル２−３を含む。本実施形態では、周波数サブチャネル２−２にＭ系列を含めることを想定している。時間サブチャネ２−３にＭ系列を含めても同様な効果が得られる。
【００３７】
Ｍ系列の符号長に関しては、長い方が望ましく、例えば１０２３ビット等が考えられる。但し、符号長が長すぎると、情報ビット数が減ってしまう。また、無線信号のフレーム長が符号長よりも短くなる場合には、高自己相関関数の特性が劣化しないように、引き続くフレーム長に継続させることが望ましい。何らかの理由により、符号長がフレーム長の制限を受ける場合に、符号長Ｌが短い別の符号を用いた方式も適用可能であるが、特性は劣化する可能性がある。
【００３８】
また、ここではＭ系列で代表させているが、Ｍ系列でなくても、自己相関において時間ずれがある場合に相関が小さくなるような、例えば、Ｇｏｌｄ符号であってもよい。
【００３９】
さらに、見通し外通信において広帯域の通信を行なう場合には、いわゆる周波数選択性フェージングを受けるので、周波数サブチャネルにＭ系列を含める場合には周波数特性が現れ特性が劣化する可能性がある。本特許は、このようなフェージングを受ける場合も想定して周波数軸上で補正を行なえる機能も有している。
【００４０】
［第１の実施形態］
図３は、受信側におけるＭ系列の自己相関器の構成を示す図である。図３では、ビット差が無い場合（τ＝０）を示している。上段３−１は、受信したＭ系列であり、下段３−２は受信側で予め持っているＭ系列である。各々の該当するデータの積を乗算器３−３でとり、その和を加算器３−４で計算し、除算器３−５において、Ｌで除算後、相関値が得られる。この場合には、雑音を無視すると、相関値は式（１）に示すように“１”となる。
【００４１】
図４は、１ビットずらした場合のデータ構成を示す図である。図４では、受信側で既知のデータ３−２の左端はデータが入っていないが（“−”で表示）が、符号長が十分長い場合は（例えば１０２３）、無視しても実質影響はないと考えられる。雑音を無視した場合、相関値は式（１）に示す通り“−１／Ｌ”となる。
【００４２】
図５は、本実施形態に係る無線通信システムの基本構成を示す図である。ＯＦＤＭ送信部５−１は、図２に示したようなＯＦＤＭ信号を作成し受信側へ送信する。送信信号は無線伝搬路５−２を経てＯＦＤＭ復調部５−３に入力される。ＯＦＤＭ復調部５−３は、受信した信号を復調し軟判定データを作成し、そのデータを用いて相関比計算部５−４で相関比を得る。Ｍ系列記憶部５−５では、送信側と同じＭ系列を有している。
【００４３】
図６は、本実施形態に係る無線通信システムの構成を示す図である。システムＡに対する受信信号を、（ＯＦＤＭ）復調部５−３（Ａ〜Ｚ）で軟判定データとして復元し、相関比計算部５−４（Ａ〜Ｚ）で相関比を計算する。システムＢ、Ｃ等でも同じ操作を行ない、これらの相関比は、相関比比較部６−１で比較され、最も相関比の大きな値の無線システムが選択される。選択装置６−２は、相関比比較部６−１で選択された無線システムに切り替えを行なう。
【００４４】
図７は、伝搬路特性推定を行う装置の構成を示す図である。この装置では、ＲＦ部７−１、Ａ／Ｄコンバータ７−２、ＦＦＴ部７−３を通った後の信号のうち、プリアンブル部２−１を取り出し、その振幅や位相を検波することにより、伝搬路特性の推定を行う。推定された特性は、通常、等価部７−４において伝搬路の歪みを補償するために用いられる。なお、伝搬路の周波数特性（伝達関数）取得は、従来の技術の再利用ですむ（非特許文献１）。
【００４５】
図８は、伝搬路の周波数特性推定部で得られる特性の概念を示す図である。送信側から送られた信号が反射や回折により受信側では遅延波となり（多重路伝搬波）、そのため広帯域信号の場合には送信信号自身が干渉となり、周波数歪を生じさせる。本実施形態で用いるＭ系列を用いた相関値による無線システムの選択方式では、Ｍ系列が含まれる周波数サブチャネルが、例えば、図８に示す位置にあった時は、過小評価（真の値よりも小さな測定値）してしまう可能性がある。そこで、周波数特性の平均値も計算しておいて補正することにより、誤差を小さくすることができる。即ち、図８の記号を用いて、
（補正された相関比）＝（Ｐａｖｅ）／（Ｐｏ）×（測定された相関比）
とすればよい。過大評価となる場合も同様の計算を行なえばよい。
【００４６】
図９は、周波数選択性フェージングの影響を考慮して相関比を補正する場合の装置構成を示す図である。無線伝搬路５−２では、送信側と受信側が見通し外の場合には、多重路伝搬が生じ、遅延による周波数選択性フェージングが発生する。このため、本装置では、図５に示した構成に伝搬路特性推定部７−５を付加した構成となっている。その推定値が相関比計算部５−４に入力されて、補正が行なわれる。
【００４７】
［第２の実施形態］
図１０は、第２の実施形態に係る無線通信システムの概略構成を示す図である。この無線通信システムでは、図６に示した構成を基本とし、周波数選択性フェージングの影響を考慮して、その影響を小さくする構成が採られている。（ＯＦＤＭ）復調部５−３（Ａ〜Ｚ）は、受信した信号を復調し、軟判定データを作成し、そのデータと伝搬路特性推定部／補正係数計算部１０−１（Ａ〜Ｚ）で得られるデータを用いて、相関比計算部５−４（Ａ〜Ｚ）で相関比を得る。システムＢ、Ｃ等でも同じ操作を行なう。これらの相関比は、相関比比較部６−１で比較され、選択装置６−２において、最も相関比の大きな値の無線システムが選択される。
【００４８】
以上説明したように、本実施形態に係る無線通信システムによれば、比較的簡単に複数の異種無線システムの選択のためのパラメータを得ることができる。また、信頼性の向上を図ることができる。なお、上記の説明では、ＯＦＤＭを対象にしているが、基本的には変調方式が同じあれば、ＦＤＭやＴＤＭも対象とする複数無線システムに含めることが可能である。また、本方式は、低レイヤでパラメータを観測していることにより得られるものであるが、上位レイヤのパラメータも併用することにより、より望ましい選択方式を実現することも可能である。
【符号の説明】
【００４９】
２−１  ＯＦＤＭ信号のプリアンブル部
２−２  ＯＦＤＭ信号の周波数サブチャネル
２−３  ＯＦＤＭ信号の時間サブチャネル
３−１  Ｍ系列のデータ（受信側での復調信号）
３−２  Ｍ系列のデータ（受信側での既知データ）
３−３  乗算器
３−４  加算器
３−５  Ｌによる除算器
５−１  ＯＦＤＭ送信部
５−２  無線伝搬路
５−３（Ａ〜Ｚ）  （ＯＦＤＭ）復調部
５−４（Ａ〜Ｚ）  相関比計算部
５−５  Ｍ系列記憶部
６−１  相関比比較部
６−２  選択装置
７−１  ＲＦ部
７−２  Ａ／Ｄコンバータ
７−３  ＦＦＴ部
７−４  等価部
７−５  伝搬路特性推定部（伝達関数の推定）
１０−１（Ａ〜Ｚ）  伝搬路特性推定部／補正係数計算部    
【図１】
2010226398.tif 000004
【図２】
2010226398.tif 000005
【図３】
2010226398.tif 000006
【図４】
2010226398.tif 000007
【図５】
2010226398.tif 000008
【図６】
2010226398.tif 000009
【図７】
2010226398.tif 000010
【図８】
2010226398.tif 000011
【図９】
2010226398.tif 000012
【図１０】
2010226398.tif 000013